【事件の表示】
　平成　８年特許願第２５３２４０号「文書読み上げ装置および文書読み上げ方法」拒絶査定不服審判事件〔平成１０年　４月２４日出願公開、特開平１０−１０５３７０〕について、次のとおり審決する。
【結　論】
　本件審判の請求は、成り立たない。
【理　由】
１．手続きの経緯・本願発明 
　本願は，平成８年９月２５日の出願であって，平成１７年５月１８日付けで拒絶理由通知がなされ，同年７月２５日付けで手続補正がなされたが，平成１８年４月２８日付けで拒絶査定がなされ，これに対して同年６月５日に拒絶査定に対する審判請求がなされたものである。 
　そして，その請求項４に係る発明は，平成１７年７月２５日付けの手続補正書によって補正された明細書の記載からみて，本願の特許請求の範囲の請求項４に記載された次のとおりのものである（以下，「本願発明」という。）。 
　 
「【請求項４】　外部からの指示により所要の文書を合成音声で読み上げる文書読み上げ装置についての文書読み上げ方法であって，文書を指示された個所から読み上げるようにし，文書の先頭に戻る指示がなされた場合には，音声スピードを下げるようにパラメータ変更を行うことを特徴とする文書読み上げ方法。」 
　 
２．引用例 
　これに対して，原査定の拒絶の理由に引用された特開平７−１９９９９２号公報（以下，「引用例１」という。），及び特開平６−２５０８１５号公報（以下，「引用例２」という。）には，図面とともに，次の事項が記載されている。 
　 
（１）引用例１（特開平７−１９９９９２号公報） 
　 
「【００１０】 
【実施例】以下，図面を参照して，本発明の一実施例について説明する。図１は，本発明の一実施例による情報提供装置の構成を示すブロック図である。１は言語処理部であり，外部（速報記事システム）から新聞記者等が出稿したテキストメッセージを受信すると，当該テキストメッセージに言語処理を施して読み上げ用テキストメッセージに変換する。そして，読み上げ用テキストメッセージを，例えば，十分な記憶容量のＲＡＭで構成されるメッセージ格納部２に記憶させるとともに，その格納アドレス（記憶位置）を，例えば，十分な記憶容量のＲＡＭで構成される位置情報格納部３に記憶させる。 
【００１１】ここで，位置情報格納部３の記憶内容について，図２を参照して説明する。図２は，位置情報格納部３に記憶される各種情報の構成を説明するための概念図である。この図に示すように，１つの読み上げ用テキストメッセージは，複数の文により構成されている。例えば，メッセージ番号がｉ（ｉは自然数）である読み上げ用テキストメッセージはｊ（ｊは自然数）個の文から構成されている。 
【００１２】位置情報格納部３には，メッセージ番号およびメッセージ中の文の数以外に，各文固有の文番号（ｓ１１，ｓ１２，ｓ１３，……，ｓｉ１，ｓｉ２，…，ｓｉｊ）と，各文番号で表される文が格納されているメッセージ格納部２内の格納アドレス（ａｄｄ１１，ａｄｄ１２，ａｄｄ１３，……，ａｄｄｉ１，ａｄｄｉ２，…，ａｄｄｉｊ）が対応付けられて記憶されている。 
【００１３】上述した言語処理部１を実現する自然言語処理技術として，ここでは，「日本語訂正支援システム（ＲＥＶＩＳＥ）」（研究実用化報告，第３６巻，第９号，PP.1159〜PP.1167参照）を用いるものとする。この「日本語訂正支援システム（ＲＥＶＩＳＥ）」を規則合成の前段に用いることにより，「読み間違い」の防止，正しいイントネーションでの発声を実現することができる。 
【００１４】また，図１において，４は制御部，５は信号受信部，６は音声合成部であり，以下に各部４〜６について説明する。信号受信部５は，利用者に操作される電話機内のＰＢ信号発声器から送信される指示信号（ＰＢ信号）を受信し，対応する信号を制御部４へ供給する。 
【００１５】ここで，指示信号とは，利用者が要求する処理を表す信号であり，例えば，利用者が電話機のボタン“７”を押して送信される指示信号は読み上げ中のメッセージの未聴部分の「スキップ」を，ボタン“８”を押して送信される指示信号は読み上げ中の文の文頭，または前の文の文頭から読み上げ直す「バック」を，ボタン“９”を押して送信される指示信号は読み上げ中のメッセージの「リピート」を意味する。 
【００１６】制御部４は，例えば，図示せぬＣＰＵ，ＲＯＭ，ＲＡＭ，各種Ｉ／Ｏインタフェース等から構成され，読み上げ中のメッセージに対応する読み上げ用テキストメッセージおよび文に付与されたメッセージ番号および文番号を管理し，現在読み上げ中の文の文番号と，信号受信部５から供給される信号（利用者の指示を表す）とに応じて，次に読み上げるべき文の文番号を決定する。また，制御部４は，現在読み上げ中の文が終了した場合，または，信号受信部５から何らかの信号が供給された場合には，位置情報格納部３を参照して次に読むべき文の記憶位置情報を得た後，当該記憶位置情報に表される記憶位置に記憶された読み上げ用テキストメッセージをメッセージ格納部２から音声合成部６へ供給させる。 
【００１７】音声合成部６は，メッセージ格納部２から供給される読み上げ用テキストメッセージに規則合成を施して音声出力する。この音声合成部６で出力された音声信号は利用者の電話機の受話器から出力される。なお，利用者は，ある読み上げ用テキストメッセージが読み上げられている間に，電話機から指示信号を送信し，読み上げ用テキストメッセージ単位，或いは，読み上げ用テキストメッセージを構成している文単位で読み上げ順序の変更を指示する。 
【００１８】このような構成の情報提供装置の動作について，図３を参照して説明する。図３は，本発明の一実施例による情報提供装置が行う読み上げ処理の動作を示す処理図であり，この図に示す動作は，利用者が電話機を介して情報提供装置にアクセスするとステップＳ１から順に実行される。 
【００１９】まず，ステップＳ１は，利用者が電話機を介して情報提供装置にアクセスした直後に為される処理であり，情報提供装置は提供可能なメッセージと，そのメッセージを読み上げるために必要な操作内容を案内する。ここで，利用者が，所望のメッセージを選択し，当該メッセージに対応した操作を電話機に対して行うと，電話機から利用者の操作内容に応じた指示信号（ＰＢ信号）が送信される。そして，処理はステップＳ２へ進む。 
【００２０】ステップＳ２では，ステップＳ１で送信された指示信号を信号受信部５が受信し，対応する信号を制御部４へ供給する。すると，制御部４は，読み上げ中のメッセージのメッセージ番号および文番号を，内部ＲＡＭの作業領域に記憶する。次に，ステップＳ３では，制御部４が，信号受信部５から供給された信号と上記作業領域に記憶されたメッセージ番号および文番号とに基づいて，次に読み上げるべき読み上げ用テキストメッセージのメッセージ番号と文の文番号とを決定する。そして，当該メッセージ番号および文番号に対応付けて記憶された格納アドレスを位置情報格納部３から読み出し，メッセージ格納部２の当該格納アドレスに記憶された読み上げ用テキストメッセージを構成する文を，順次，音声合成部６へ供給させて音声出力を行う。 
【００２１】ステップＳ４は，ステップＳ３での音声出力に並行して行われる処理であり，利用者が，所望のメッセージの音声合成出力を聞いている間に，そのメッセージについて継続して聞く意志がなくなったり，そのテキストメッセージをもう一度最初から聞き直したいと思ったり，あるいは，現在読み上げ中の文で聞き漏らした部分を聞き直したいと思ったりした場合に，利用者が，読み上げるメッセージや文を変更するための指示を電話機を介して送信する。 
【００２２】ステップＳ５は，ステップＳ４に後続して為される処理であり，電話機，信号受信部５を介して制御部４へ供給された指示が，読み上げ中止を意味するものであるか否かを判断する。この判断結果が「Ｙｅｓ」であれば，読み上げ処理が終了する。すなわち，情報提供サービスが終了する。逆に当該判断結果が「Ｎｏ」であれば，処理はステップＳ６へ進む。 
【００２３】ステップＳ６では，制御部４は，ステップＳ４で供給された指示と，内部ＲＡＭの作業領域に保持している現在読み上げ中の読み上げ用テキストメッセージおよび文のメッセージ番号および文番号の情報とに基づいて，次に読み上げるべき読み上げ用テキストメッセージおよび文のメッセージ番号および文番号を決定する。そして，決定されたメッセージ番号および文番号に対応付けて位置情報格納部３に格納された格納アドレスを取得する。そして，処理はステップＳ３へ戻る。こうして，読み上げ処理が行われる。 
【００２４】以上説明したように，本発明の一実施例による情報提供装置は，自然言語処理および規則合成を用いて音声合成処理を行うようにしたために，優れた速報性と聞き易い音声出力を両立することができる。また，位置情報格納部３に読み上げ用テキストメッセージを構成する文の文番号および格納アドレスを記憶するようにしたため，制御部４が「スキップ」，「バック」，「リピート」の各指示に応じて次に読み上げる文を変更することができる。したがって，インタクティブ性に優れた情報提供サービスを行うことができる。」 
　 
　よって，引用例１には以下の発明（以下，「引用例１記載の発明」という。）が記載されている。 
　 
「新聞記者等が出稿したテキストメッセージを受信して，複数の文により構成されている読み上げ用テキストメッセージに変換してメッセージ格納部に記憶させ，利用者の操作により電話機から送信される指示信号により複数の文により構成されるメッセージを指定して読み上げる情報提供装置によるメッセージ読み上げ方法であって，利用者がテキストメッセージをもう一度最初から聞き直したいと思った場合に，利用者が読み上げるメッセージや文を変更する指示を電話機から指示することができる，メッセージ読み上げ方法。」
　 
（２）引用例２（特開平６−２５０８１５号公報） 
　 
（２ａ）「【０００８】本発明はこのような事情を考慮してなされたもので，その目的は，受信したボイスメールの音声データ中の無音部分で区切られる文節や文などの区切りの位置を検出することにより，ボイスメールの音声出力期間に利用者から音声再出力が要求された場合には，上記の区切りの位置を用いて，その時点で出力していた文節や文などの単位の音声データ部分を再度音声出力することができるボイスメール端末を提供することにある。本発明の他の目的は，利用者が要求した音声データ部分を，利用者が聞き取り易い形態で再出力できるボイスメール端末を提供することにある。」 
　 
（２ｂ）「【００１６】また，音声再出力に際し，再出力開始位置から始まる１区間の音声データ部分を加工して，通常より大きい音声で，且つゆっくりと出力することにより，利用者が聞き返したかった音声部分を利用者にとって聞き取り易いものとすることができる。」 
　 
（２ｃ）「【００３１】このように本実施例では，音声出力の期間に利用者からの音声再出力要求がないとステップｔ３で判別される限りは，ステップｔ１，ｔ２を音声データがなくなるまで繰り返し，ボイスメールを連続して音声出力することになる。これに対して，利用者からの音声再出力要求があった場合には，以下に述べる音声の再出力処理が行われる。 
【００３２】メール制御部２は，前記したように，音声出力の対象とする音声データ部分（ここでは，Ｓ２＋Ｍ２であるとする）をＤ／Ａ変換装置１０に出力すると，その音声データ部分の音声出力の期間に利用者からの音声再出力要求があるか否かを，音声検出部９の音声検出結果により調べる（ステップｔ３）。もし，（Ｓ２＋Ｍ２）の音声データ部分の音声出力期間中に，利用者がマイクロホン７から何等かの音声（例えば音声再出力を要求する音声）を入力すると，音声検出部９により音声再出力要求が検出され，ステップｔ３の判定はＹＥＳとなる。 
【００３３】メール制御部２は，音声検出部９の音声検出結果により利用者からの音声再出力要求があったことを判別すると，Ｄ／Ａ変換装置１０を制御してスピーカ１１からの音声出力を直ちに停止させ（ステップｔ４），そのときスピーカ１１から出力されていた音声データ部分を音声再出力の対象とする音声データと決定して，後続の処理（ステップｔ５，ｔ６）を行う。ここで決定される音声再出力の対象となる音声データ部分の開始位置は，音声再出力要求が検出された直前の音声データ部分との（無音部分による）区切りの位置となる。したがって，図４に示す（Ｓ２＋Ｍ２）の音声データ部分の音声出力期間に音声再出力要求があったものとすると，Ｓ２部分の先頭から次の無音部分Ｍ２の終端までの音声データ部分が，再出力すべき音声データ部分とされる。 
【００３４】さてメール制御部２は，ステップＳ５において，音声再出力の対象とする音声データ部分を音声加工部１３に渡し，同音声データ部分を，大きい音声で且つゆっくりと出力されるように加工させる。ここで，出力音声を大きくするには，音声データ（ディジタルデータ）の値を大きくすることによって実現できる。また，音声をゆっくりと出力するには，音声データ（ディジタルデータ）を近似補間した後に，ローパスフィルタリングを施すことによって実現できる。」 
　 
（２ｄ）「【００４２】このように，本実施例に係わるボイスメール端末では，無音検出部１２により受信ボイスメールから文節や文の区切りの位置を検出して，その検出位置で区切られた文節や文を単位にボイスメールを音声出力するようにしたので，そのボイスメールの音声出力の最中に利用者からの音声再出力の要求があれば，その時点で出力していた文節や文などを，要求された音声再出力の対象部分であると認識して再出力することができ，受信ボイスメールを最初から全て音声再出力しなければならなかった従来のボイスメール端末に比べ，利用者にとって極めて便利なものとなる。しかも，本実施例では，音声の再出力の対象部分を，大きな音声で且つゆっくりと再出力できるため，利用者にとって聞き取り易いものとなる。 
【００４３】また本実施例によれば，ボイスメールを保存する際には，文節や文などの単位で音声出力して，この単位で利用者が保存したいか否かを選択するというインタラクティブな保存処理が行えるため，音声データ保存用に大容量のファイルシステムを必要としないで済む。なお，本発明は上述した実施例に限定されるものではない。」 
　 
（２ｅ）「【００４５】またボイスメール端末の構成も図１に限定されるものではない。例えば利用者の音声再出力要求を入力するための手段として，マイクロホン７を用いた音声による入力に限らず，キーボードやマウスを用いた構成も可能である。音声データ保存の“ＹＥＳ”または“ＮＯ”の指示の入力に，音声認識部を設けることで，マイクロホン７を用いた音声による入力手段を実現することも可能である。更に，利用者が本ボイスメール端末を利用する手段として，電話を用いて利用者にボイスメールを音声出力して，音声再出力等をプッシュボタン等で指示するように構成することも可能である。」 
　 
　よって，引用例２には以下の発明（以下，「引用例２記載の発明」という。）が記載されている。 
　 
「データを音声出力するコンピュータ装置において，音声出力の最中に利用者から音声再出力要求があると，聞き返したかった音声部分（その時点で出力していたデータ）を，再度ゆっくりと（スピードを下げて）音声出力すること。」 
　 
３．対比 
　本願発明と引用例１記載の発明とを対比する。 
　 
　引用例１記載の発明の「指示」は，利用者の電話機から情報提供装置に送信されてくるから，本願発明の「外部からの指示」に相当する。
　 
　引用例１記載の発明の「テキストメッセージ」は，新聞記者等が出稿したものであるから，文書である。また，引用例１記載の発明において読み上げる「テキストメッセージ」は，利用者が指定（所望のメッセージを選択）したものであるから，利用者にとって必要な文書（メッセージ），すなわち「所要の文書」といえる。 
　 
　引用例１記載の発明の読み上げ方法は，テキストメッセージに言語処理を施して変換した読み上げ用テキストメッセージを，音声合成出力しているから，「合成音声で読み上げ」ている。 
　そして，文書を合成音声で読み上げる引用例１記載の発明の「情報提供装置」は，「文書読み上げ装置」といえ，引用例１記載の発明の「メッセージ読み上げ方法」は，「文書読み上げ方法」といえる。 
　 
　引用例１記載の発明の文書読み上げ方法は，例えば，「バック」指示に応じて，読み上げ中の文の文頭から読み上げ直すから，「文書を指示された個所から読み上げるようにし」ている。 
　 
　引用例１記載の発明において，利用者がテキストメッセージをもう一度最初から聞き直したいと思った場合に行う「読み上げるメッセージや文を変更する指示」と，本願発明の「文書の先頭に戻る指示」は，文書を聞き直す指示である点で共通である。 
　また，引用例１記載の発明の「読み上げるメッセージや文を変更する」ことと，本願発明の「音声スピードを下げるようにパラメータ変更を行う」ことは，文書を聞き直す指示がなされた場合に行う所定の処理である点で共通である。 
　 
　したがって，本願発明と引用例１記載の発明は，以下の点で一致し，また，相違している。 
　 
（一致点） 
「外部からの指示により所要の文書を合成音声で読み上げる文書読み上げ装置についての文書読み上げ方法であって，文書を指示された個所から読み上げるようにし，文書を聞き直す指示がなされた場合には，所定の処理を行うことを特徴とする文書読み上げ方法。」 
　 
（相違点１） 
　本願発明の文書を聞き直す指示は，文書の先頭に戻る指示であるのに対して， 
　引用例１記載の発明では，読み上げるメッセージや文を変更する指示が，文書の先頭に戻る指示であるのかどうか明らかでない点。 
　 
（相違点２） 
　本願発明の所定の処理は，音声スピードを下げるようにパラメータ変更を行うことであるのに対して， 
　引用例１記載の発明の所定の処理は，次に読み上げる文を変更するだけで，音声スピードを下げるようにパラメータ変更を行うことは記載されていない点。 
　 
４．当審の判断 
　 
　上記相違点について検討する。 
　 
（相違点１について） 
　文書読み上げ装置において，読み上げ（音声出力）中の文書を聞き直す指示として，文や文節の先頭に戻る指示の他に，文書の先頭に戻る指示があることは，特開平４−１７７５２６号公報の第６頁左上欄第１１行〜第８頁左上欄第１行，及び関連する図面，特開平５−２８１９８８号公報の段落【００１１】〜【００１３】，及び関連する図面に記載されているように，本願の出願前に周知の技術（以下，「周知技術１」という。）である。
  引用例１記載の発明に周知技術１を適用し，文書を聞き直す指示（読み上げるメッセージや文を変更する指示）に応じて戻る位置を，文書の先頭とすることで，上記相違点１に係る本願発明の構成とすることは，当業者が容易に想到し得たことである。
　
（相違点２について）
　引用例２には，データを音声出力するコンピュータ装置において，音声出力の最中に利用者から音声再出力要求があると，聞き返したかった音声部分（その時点で出力していたデータ）を，再度ゆっくりと（スピードを下げて）音声出力することが記載されており，
　引用例１記載の発明と引用例２記載の発明は，利用者が音声出力中のデータを聞き直し（聞き返し）できる点で共通している。 
　
　なお，文書読み上げ装置において，音声スピードの上げ下げをパラメータ変更を行って制御することは，特開平４−１７７５２６号公報の第４頁右下欄第１２行〜第５頁右上欄第２行，第６頁左上欄第１１行〜第８頁左上欄第１行，及び関連する図面，特開平１−２６６５９８号公報の第２頁左下欄第６行〜右下欄第１９行，第３頁右下欄第１行〜第１５行，及び関連する図面に記載されているように，本願出願前に周知の技術（以下，「周知技術２」という。）である。 
　
　そうすると，引用例１記載の発明において，周知技術２を参酌して引用例２記載の発明を適用し，文書を聞き直す指示がなされた場合に，再度ゆっくりと音声出力するように，音声スピードを下げるようにパラメータ変更を行って， 上記相違点２に係る本願発明の構成とすることは，当業者が容易に想到し得たことである。 
　
　そして，本願発明のように構成したことによる効果も引用例１，２記載の発明，及び周知技術から予想できる程度のものであって，格別のものではない。 
　したがって，本願発明（請求項４に係る発明）は，引用例１，２記載の発明，及び周知技術に基づいて，当業者が容易に発明をすることができたものである。 
　
５．結び 
　以上のとおり，本願発明は，引用例１，２記載の発明，及び周知技術に基づいて，当業者が容易に発明をすることができたものであるから，特許法第２９条第２項の規定により特許を受けることができない。 
　よって，結論のとおり，審決する。